(57)【要約】【課題】冷房運転時における吹出口近傍の結露の発生を抑制することができる信頼性の高い空気調和機の提供。【解決手段】リアガイダ７の下流端と下羽根８ａとの間に軸受部材１３を設け、前記軸受部材はその内面の軸受面部１３ａと下羽根８ａの上流端との間の隙間に入り込む気流の流れを阻止するリブ１４ａを設けた構成としてある。これにより、リアガイダと羽根の上流端との間に生じる比較的大きな隙間を軸受部材によって解消するとともに、前記軸受部材と下羽根の上流端との間に生じる僅かな隙間に冷気が入り込んでもその冷気が吹出口の下面側へと流出するのを抑え、吹出口下面側の結露の発生を抑制し、結露水の滴下を防止することができる。【選択図】図３
2015010732.tif 000002
【特許請求の範囲】
【請求項１】
室内側空気の取入口と吹出口を有した空気調和機本体と、前記取入口から取り入れた空気を熱交換する熱交換器と、前記熱交換器で熱交換して前記空気を前記吹出口から吹き出すための気流を発生させるファンと、前記ファンの下流に配置されて空気の流れを前記吹出口へ案内するリアガイダと、前記リアガイダの下流において回動可能に設けられ、前記リアガイダに沿って流れてきた空気の流れる方向を制御する羽根と、前記リアガイダの下流端に連続して設けられ、前記羽根における上流端となる回動部分に所定隙間を有して対向配置された軸受部材とを備え、前記軸受部材はその軸受面部と前記羽根の上流端との間の所定隙間に入り込む気流の流れを阻止するリブを備えたことを特徴とする空気調和機。
【請求項２】
リブは羽根の上流端側に設けて軸受部材の軸受面部外周に回り込んで入り込むよう略円弧状に形成したことを特徴とする請求項１に記載の空気調和機。
【請求項３】
リブは少なくとも一部が伸縮自在な構成としたことを特徴とする請求項１に記載の空気調和機。
【請求項４】
軸受部材の軸受面部両端に突出部分を設けるとともに、リブは羽根の上流端側に設けられていて前記軸受面部の突出部分同士間の軸受面部内面側に向かって突出していることを特徴とする請求項１に記載の空気調和機。
【発明の詳細な説明】
【技術分野】
【０００１】
本発明は、室内の空調を行う空気調和機に関し、特に空気調和機における吹出口の結露防止構成に関するものである。
【背景技術】
【０００２】
一般に家庭で使用される空気調和機は、通常、室内への騒音及び振動を抑制するために、コンプレッサ等の大きな騒音源、振動源となるものを室外機に配設し、騒音及び振動の少ないファンや熱交換器等を室内機に配設したセパレータ型となっている。このように構成された空気調和機の室内機は、室内の壁面等に設置されて、室内が所望の温度となるよう空調動作が行われる。なお、室外機と室内機は、冷媒配管と制御用配線で互いに機械的及び電気的に接続されており、互いに協働して空調動作を行っている。
【０００３】
上記空気調和機の室内機には、温度調節された空気を室内に吹き出すための吹出口が設けられており、その吹出口には吹き出される空気の向きを変更するための風向変更手段が設けられている。風向変更手段としては、室内における所望の領域に向かって吹出口から吹き出された空気を送り出すために、吹出口から吹き出される空気の流れを上下方向に変更する上下風向変更羽根と、吹出口から吹き出される空気の流れを左右方向に変更する左右風向変更羽根とで構成された風向変更羽根が用いられている。
【０００４】
従来の空気調和機における上下風向変更羽根としては、例えば、空気調和機の運転時には吹出口から突出して、吹出口から吹き出される空気の流れ方向を変更するとともに、空気調和機の停止時には吹出口を閉塞するよう構成されたものがある（例えば、特許文献１参照）。
【０００５】
上記上下風向変更羽根は、吹出口までの通路を構成するリアガイダの下流端に回動可能に設けられ、吹出口を開閉するとともに、空調運転時には熱交換されリアガイダに沿って流れてきた空気の向きを上下方向に変更するようになっている。
【先行技術文献】
【特許文献】
【０００６】
【特許文献１】特開２００４−４４９２９号公報
【発明の概要】
【発明が解決しようとする課題】
【０００７】
しかしながら、上記従来の上下風向変更羽根はリアガイダの下流端との間に上下風向変更羽根の回動逃げ用の隙間が存在しているため、リアガイダに沿って流れてきた空気が、リアガイダと上下風向変更羽根の上流端との間に存在する比較的大きな回動逃げ用の隙間に流れ込み、冷房運転時にはその隙間に流れ込んだ冷気により吹出口近傍に結露を生じさせるという課題を有していた。
【０００８】
本発明はこのような課題を解決するもので、冷房運転時における吹出口近傍の結露の発生を抑制することができる信頼性の高い空気調和機の提供を目的とする。
【課題を解決するための手段】
【０００９】
本発明は前記目的を達成するため、室内側空気の取入口と吹出口を有した空気調和機本体と、前記取入口から取り入れた空気を熱交換する熱交換器と、前記熱交換器で熱交換して前記空気を前記吹出口から吹き出すための気流を発生させるファンと、前記ファンの
下流に配置されて空気の流れを前記吹出口へ案内するリアガイダと、前記リアガイダの下流において回動可能に設けられ、前記リアガイダに沿って流れてきた空気の流れる方向を制御する羽根と、前記リアガイダの下流端に連続して設けられ、前記羽根における上流端となる回動部分に所定隙間を有して対向配置された軸受部材と、を備え、前記軸受部材はその軸受面部と前記羽根の上流端との間の所定隙間に入り込む気流の流れを阻止するリブを設けた構成としてある。
【００１０】
これにより、リアガイダと羽根の上流端との間に生じる比較的大きな隙間を軸受部材によって埋めて解消するとともに、前記軸受部材の軸受面部と羽根の上流端との間に生じる僅かな隙間に冷気が入り込んでもその冷気が吹出口の下面側へと流出するのをリブで抑え、吹出口下面側の結露の発生を抑制し、結露水の滴下を防止することができる。
【発明の効果】
【００１１】
本発明は、吹出口近傍における冷房運転時の結露の発生を抑制し、結露水の滴下を防止することができるので、信頼性の高い空気調和機を提供することができる。
【図面の簡単な説明】
【００１２】
【図１】本発明に係る実施の形態１の空気調和機における室内機の概略構成を示す縦断面図
【図２】同実施の形態１の空気調和機における空調運転時の状態を示す縦断面図
【図３】同実施の形態１の空気調和機における空調運転時の上下風向変更羽根の動作例を示す縦断面図
【図４】同実施の形態１の空気調和機における空調運転時の上下風向変更羽根の他の動作例を示す縦断面図
【図５】同実施の形態１の空気調和機における空調運転時の上下風向変更羽根の更に他の動作例を示す縦断面図
【図６】同実施の形態１の空気調和機における結露防止機構の他の例を示す縦断面図
【図７】本発明に係る実施の形態２の空気調和機における室内機の概略構成を示す縦断面図
【図８】同実施の形態２の空気調和機における結露防止機構を拡大して示す縦断面図
【図９】同実施の形態２の空気調和機における結露防止機構を拡大して示す縦断面図
【発明を実施するための形態】
【００１３】
本発明に係る第１の態様の空気調和機は、室内側空気の取入口と吹出口を有した空気調和機本体と、前記取入口から取り入れた空気を熱交換する熱交換器と、前記熱交換器で熱交換して前記空気を前記吹出口から吹き出すための気流を発生させるファンと、前記ファンの下流に配置されて空気の流れを前記吹出口へ案内するリアガイダと、前記リアガイダの下流において回動可能に設けられ、前記リアガイダに沿って流れてきた空気の流れる方向を制御する羽根と、前記リアガイダの下流端に連続して設けられ、前記羽根における上流端となる回動部分に所定隙間を有して対向配置された軸受部材と、を備え、前記軸受部材はその軸受面部と前記羽根の上流端との間の所定隙間に入り込む気流の流れを阻止するリブを設けた構成としてある。
【００１４】
これにより、リアガイダと羽根の上流端との間に生じる比較的大きな隙間を軸受部材によって埋めて解消するとともに、前記軸受部材の軸受面部と羽根の上流端との間に生じる僅かな隙間に冷気が入り込んでもその冷気が吹出口の下面側へと流出するのをリブで抑え、吹出口下面側の結露の発生を抑制し、結露水の滴下を防止することができる。
【００１５】
本発明に係る第２の態様の空気調和機においては、前記リブは羽根の上流端側に設けて軸受部材の軸受面部外周に回り込んで入り込むよう略円弧状に形成した構成としてある。
【００１６】
これにより、冷房運転時に前記リアガイダに沿って流れてきた冷気が、前記軸受部材の軸受面部と前記羽根の上流端との間の隙間に流れ込んでも前記本体底面まではさらに流れにくくなり、吹出口近傍、特に吹出口下縁の結露の発生を抑制することができる。
【００１７】
本発明に係る第３の態様の空気調和機においては、前記リブは少なくとも一部が伸縮自在な構成としてあり、これにより、羽根の開閉角度を大きくすることが可能となるため、空調による快適性を損なうことなく吹出口近傍の結露の発生を抑制することができる。
【００１８】
本発明に係る第４の態様の空気調和機においては、前記軸受部材の軸受面部両端に突出部分を設けるとともに、リブは羽根の上流端側に設けられていて前記軸受面部の突出部分同士間の軸受面部内面側に向かって突出している構成としてある。
【００１９】
これにより、前記軸受部材の軸受面部と羽根の上流端との間に生じる僅かな隙間に冷気が入り込んでもその冷気が吹出口の下面側へと流出するのをリブと突出部分との組み合わせによって抑え、吹出口下面側の結露の発生を抑制し、結露水の滴下を防止することができる。
【００２０】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００２１】
（実施の形態１）
実施の形態１の空気調和機は、室内機と室外機が冷媒配管及び制御配線等により互いに接続された、所謂セパレート型の空気調和機である。室内機と室外機によりヒートポンプが構成されており、室外機にはコンプレッサが設けられている。また、室内機は、室内の壁面に取り付ける壁掛け式の室内機となっている。
【００２２】
図１および図２は、本発明に係る実施の形態１の空気調和機における室内機を示し、図１は空調運転停止時の縦断面図、図２は空調運転時の縦断面図である。
【００２３】
図１に示すように、室内機１は、空気の取入口となる前面開口部２ａと上面開口部２ｂ、および熱交換された空気を吹き出す吹出口２ｃとを有する本体２、及び本体２の前面開口部２ａを開閉する可動式の前面パネル３を備えている。本体２の内部には、室内空気に含まれる塵埃を除去するためのフィルタ４と、取り入れた室内空気を熱交換する熱交換器５と、前面開口部２ａ及び上面開口部２ｂからフィルタ４を通して取り入れた室内空気を熱交換器５で熱交換して吹出口２ｃから室内に吹き出すための気流を発生させる貫流ファンであるファン６と、が設けられている。また、室内機１の本体２において、ファン６の下流側から吹出口２ｃの上流側に至る通風路１０は、ファン６の下流側に配置されて空気の流れを案内するリアガイダ７と、このリアガイダ７に対向して配置されたスタビライザ１１と、本体２の両側壁（図示せず）とで形成されている。
【００２４】
ここで上記実施の形態１の空気調和機において熱交換した空気を室内に吹き出すための吹出口２ｃには、当該吹出口２ｃを開閉するとともに、空気の吹き出し方向を上下方向に変更することができる上下風向変更手段である上下風向変更羽根８が設けられている。さらに、吹出口２ｃの内部には空気の吹き出し方向を左右に変更することができる左右風向変更手段である左右風向変更羽根９が設けられている。
【００２５】
すなわち、図１に示す空調運転停止時の状態においては、前面パネル３は本体２に密着
して前面開口部２ａを閉じ、上下風向変更羽根８が吹出口２ｃを覆って吹出口２ｃを閉鎖している。
【００２６】
また、図２に示す空調運転時の状態においては、前面パネル３が本体２から離れる方向に所定距離だけ移動して前面開口部２ａを開放する。
【００２７】
上下風向変更羽根８は、第１の羽根の一例である下羽根８ａと、この下羽根８ａの上方に設けられた第２の羽根の一例である上羽根８ｂとを備えている。上下風向変更羽根８は、下羽根８ａと上羽根８ｂとが協働して、吹出口２ｃから吹き出される空気の吹き出し方向を制御している。下羽根８ａは、上流端を中心にして下羽根駆動軸の回動動作により、所定角度だけ回動するよう構成されている。また上羽根８ｂは、例えば制御によって下羽根８ａと略平行に保持された状態で回動して下羽根８ａに対して近接・離間動作する構成を有している。
【００２８】
なお、上下風向変更羽根８における上羽根８ｂには第３の羽根の一例であるガイドミニ羽根８ｃ（図３等参照）が設けられている。ガイドミニ羽根８ｃは、下羽根８ａと上羽根８ｂにより形成される主流に対して保護する気流を発生させる機能を有している。このように、上羽根８ｂの上面にガイドミニ羽根８ｃを設けることにより、主流に対する周りの空気の混合を防止し、主流における流れの減衰を抑制している。
【００２９】
左右風向変更羽根９は、複数枚の羽根で構成されており、吹出口２ｃから吹き出される空気の吹き出し方向を左右方向に変更するよう制御されている。
【００３０】
空気調和機が空調運転を開始すると、前面パネル３が本体２から所定距離だけ離れる離動作を行い前面開口部２ａが開放されるとともに、上下風向変更羽根８が開動作を行い吹出口２ｃが開放される。このように前面開口部２ａおよび吹出口２ｃが開放された状態でファン６が駆動されて、室内空気が前面開口部２ａ及び上面開口部２ｂを通して室内機１の内部に取り入れられる。取り入れられた室内空気は、フィルタ４を通り、熱交換器５において熱交換されて、ファン６に吸い込まれる。ファン６に吸い込まれた熱交換後の空気は、ファン６の下流側に形成された通風路１０を通り、吹出口２ｃより吹き出される。
【００３１】
ファン６からの空気が通風路１０を通過するとき、ファン６の下流側に配置されたリアガイダ７およびスタビライザ１１によりファン６からの空気が案内されて、吹出口２ｃから吹き出される。貫流ファンであるファン６からの空気は、ファン６の外側外周に設けられたリアガイダ７の曲面に沿って流れて、吹出口２ｃから吹き出される。
【００３２】
吹出口２ｃから吹き出される空気の吹き出し方向は、上下風向変更羽根８及び左右風向変更羽根９により制御されている。上下風向変更羽根８及び左右風向変更羽根９の角度調整等の動作は、当該空気調和機を制御する制御装置（図示省略）により制御されている。
【００３３】
図３から図５は、実施の形態１の空気調和機における空調運転時の上下風向変更羽根８の動作例を示しており、主流を形成する下羽根８ａと上羽根８ｂとの回動動作を示す縦断面図である。
【００３４】
上下風向変更羽根８は、下羽根８ａを駆動させる駆動軸の回動により、下羽根８ａとともに上羽根８ｂが連動して回動する構成である。実施の形態１の空気調和機における上下風向変更羽根８は、リアガイダ７の下流側端部（下流端）の吹出口２ｃに設けられて、吹出口２ｃから吹き出される空気をスムーズに所望の領域に到達させることができ、特に下羽根８ａはリアガイダ７を延長した位置にあり、吹出口２ｃからの空気に対して高い整流効果を発揮するディフューザとしての機能を有する。
【００３５】
図３は、下羽根８ａにおける吹出面８ａａが、リアガイダ７の案内面７ａにおける下流側端部の面と、実質的に連続するように直線的に配置された動作例を示している。図３に示す動作例においては、吹出口２ｃからの空気が斜め下方向に吹き出されており、最大風量時の状態を示している。このときの上下風向変更羽根８がディフーザとしての機能を最大に発揮している。なお、下羽根８ａの吹出面８ａａとは、図３における上向き面であり、吹出口２ｃから吹き出される空気の主流が沿って流れる面である。
【００３６】
図４は、下羽根８ａの吹出面８ａａが、リアガイダ７の案内面７ａにおける下流側端部の面に対して、鈍角を有して配置された動作例であり、吹出口２ｃからの空気の吹き出し方向が、略水平方向である。図４は、一般的な冷房運転時の動作例である。
【００３７】
図５は、下羽根８ａの吹出面８ａａが、リアガイダ７の案内面７ａの吹き出し方向、即ち案内面の７ａに沿って延びる吹出口側の延長線Ｇの方向より、鉛直下方向側を向いており、吹出口２ｃからの空気の吹き出し方向が、略下向き方向である。図５は、通常暖房運転時の動作例である。
【００３８】
上記のように構成された実施の形態１の空気調和機には、上下風向変更羽根８の下羽根８ａとリアガイダ７との間に結露防止機構が設けられている。
【００３９】
図３〜５は、下羽根８ａとリアガイダ７との間に設けた結露防止機構を拡大して示す縦断面図でもあるが、以下、図３を用いて結露防止機構を説明していく。
【００４０】
図３に示すように、リアガイダ７の案内面７ａの下流側端部には、下羽根８ａに対して僅かな隙間を有して配置された軸受部材１３が連続して設けられ、固着されている。この軸受部材１３は、下羽根８ａの上流端の駆動軸部８ａｂが嵌り合うように断面が略円弧状のくぼみである軸受面部１３ａを有している。なお、実施の形態１の構成においては、軸受部材１３を略円弧としたが、円弧に限るものではない。
【００４１】
上下風向変更羽根８の下羽根８ａにおける上流端となる回動部分、すなわち駆動軸部８ａｂは、下羽根８ａを回動させる駆動軸に直交する断面形状が当該駆動軸を中心とする円弧状の外観を有している。この駆動軸部８ａｂは、上記した如く軸受部材１３の軸受面部１３ａ内に収納されるように配設されている。すなわち、軸受部材１３の軸受面部１３ａと下羽根８ａの駆動軸部８ａｂの外面とは僅かな所定の隙間を有して嵌め合わされており、軸受面部１３ａのくぼみ面に対向して下羽根８ａの駆動軸部８ａｂが設けられている。
【００４２】
ここで、上記下羽根８ａの上流端には、下羽根８ａを回動させる駆動軸に直交する断面形状が当該駆動軸を中心とする略円弧状のリブ１４ａを有しており、そのリブ１４ａの先端の一部は軸受部材１３の外周に入り込む構成となっている。そして、上記略円弧状のリブ１４ａは、その一部もしくは全体が伸縮自在となっている。
【００４３】
次に、上記のように構成された結露防止機構における作用について説明する。実施の形態１の空気調和機において、空調運転時（冷房運転時）、ファン６の下流側に配置されたリアガイダ７の案内面７ａに沿ってファン６からの空気が流れる。リアガイダ７に沿って流れた空気は、上下風向変更羽根８の下羽根８ａの吹出面８ａａに案内されて、吹出口２ｃから吹き出される。このときの吹き出される空気の流れを図３における白抜き矢印にて示す。
【００４４】
上記のように、ファン６からの空気がリアガイダ７から下羽根８ａの吹出面８ａａに流れるとき、従来の構成で存在していた下羽根８ａの回動部分である駆動軸部８ａｂとリア
ガイダ７との間の比較的大きな隙間は軸受部材１３が埋めて解消しているのでこれら両者の間からの冷気の入り込みを防止できる。
【００４５】
しかしながら、上記軸受部材１３の軸受面部１３ａと下羽根８ａの回動部分である駆動軸部８ａｂとの間には僅かではあるが隙間１２があるため、ファン６からの空気がリアガイダ７から下羽根８ａの吹出面８ａａに流れるとき、上記下羽根８ａの駆動軸部８ａｂと軸受部材１３の軸受面部１３ａとの間の隙間１２に、僅かではあるが空気（冷気）が流れ込む（図３において、実線矢印にて示す）。
【００４６】
しかしながら上記下羽根８ａの駆動軸部８ａｂと軸受部材１３の軸受面部１３ａとの間の隙間１２に流れ込み、軸受部材１３の軸受面部１３ａの断面円弧状部分のくぼみ面に沿って流れようとする冷気はリブ１４ａによりその流れを阻止され、本体２の底面に流れ出るのを抑制される。これにより室内に露出している外観を構成する下羽根８ａおよび本体２に接合された軸受部材１３における結露が防止できる。しかも上記軸受部材１３が下羽根８ａの駆動軸部８ａｂの回動軸受部のような形となっているから、下羽根８ａの回動の妨げとなることがなく、下羽根８ａの回動性を確保しつつ吹出口近傍の結露発生を抑制することができる。
【００４７】
さらに、この実施の形態ではリブ１４ａの少なくとも一部を伸縮自在としていることにより、下羽根８ａを大きく開いた場合でも、リブ１４ａがリアガイダ７にあたって下羽根８ａの回動に支障が生じたり、リアガイダ７を突き抜けることはない。つまり、図５に示すように、下羽根８ａが開いた時にリブ１４ａ先端の○で囲われた部分が破線矢印に示す方向に縮むことにより、下羽根８ａは回動でき、リブ１４ａの先端がリアガイダ７の案内面７ａを突き抜けることがなくなるのである。なお、この伸縮は機構的なもの、例えば蛇腹構造、材質的なもの、例えばゴム等、いずれのものであってもよいものである。
【００４８】
なお、上記略円弧状のリブ１４ａの形状に関しては上記に限るものではない。図６は実施の形態１におけるリブ１４ａの他の例を示す断面図である。このように下羽根８ａの下面よりリブ１４ａを構成することにより、空気調和機本体を薄く見せる効果が得られる。
【００４９】
以上のように、本実施の形態１の空気調和機は、冷房運転時の結露の発生を抑制することができるとともに、ファン６からリアガイダ７に案内されて送られてきた空気を上下風向変更羽根８によりスムーズに所望の方向に吹き出すことができ、送風性能が向上した信頼性の高い空気調和機とすることができる。
【００５０】
（実施の形態２）
次に、本発明に係る実施の形態２の空気調和機について図７〜９を用いて説明する。図７は、本発明に係る実施の形態２の空気調和機における室内機の概略構成を示す縦断面図であり、空調運転停止時の状態を示している。図８および図９は実施の形態２の空気調和機における下羽根とリアガイダとの間に設けた結露防止機構を拡大して示す縦断面図である。
【００５１】
なお、前記実施の形態１と実質的に同一の機能、動作を示す部分には同一番号を付与し、その説明は省略する。また、実施の形態２の空気調和機における基本動作は、実施の形態１の空気調和機における基本動作と同様であるので、実施の形態２の説明においては実施の形態１と異なる点である結露防止機構について説明する。
【００５２】
この実施の形態２における空気調和機は、図８に示すように、リアガイダ７の案内面７ａの下流側端部（下流端）に軸受部材１３が設けられていて、当該軸受部材１３にはその両端部、すなわちリアガイダ７側および本体２の底面側に、その軸受面部１３ａの円弧よ
り突出した突出部分１３ｂおよび１３ｃが形成されている。さらに下羽根８ａの上流端には、軸受部材１３の軸受面部１３ａ側に向けたリブ１４ｂを有している。つまり、下羽根８ａの駆動軸部に設けられたリブ１４ｂを、軸受部材１３に設けられた２つ突出部分１３ｂおよび１３ｃで挟み込む構成となっている。
【００５３】
上記構成からなる空気調和機においては、下羽根８ａの上流端に設けられたリブ１４ｂを軸受部材１３で挟み込み、さらにリブ１４ｂは軸受面部１３ａの突出部分１３ｂおよび１３ｃで常に挟まれるような形となる。したがって、下羽根８ａの駆動軸部８ａｂと軸受部材１３との間の隙間１２に気流が入り込んでもこの気流は、凹型に蛇行しながらでなければ本体２の底面に流れ出ることができない。これにより冷気の本体２底面からの流出を防止し、下羽根８ａおよび本体２に接合された軸受面部１３ａにおける結露が防止できる。
【００５４】
なお、図８および図９から分かるように、リブ１４ｂは空気調和機の運転停止時において突出部分１３ｃに、そして運転時の下羽根８ａが最も開いた時に突出部分１３ｂに最接近するようになっている。
【００５５】
以上のように、本発明に係る実施の形態２の空気調和機は、冷房運転時の結露の発生を抑制させることができるとともに、搭載するリブが比較的小さくてすむことから、前述の実施の形態１よりも空気調和機の室内機本体を薄くすることができる。
【００５６】
なお、本発明の空気調和機としては、前述の実施の形態１および実施の形態２で示した構成に限定されるものではなく、実施の形態１および実施の形態２の構成で示した本発明の技術的思想は、その他種々の態様で実施可能である。
【００５７】
例えば、実施の形態１および実施の形態２の空気調和機は、暖房と冷房を兼用する空気調和機であるが、冷房専用機であっても当然適用可能である。また、実施の形態１および実施の形態２においては室内機と室外機が別体のセパレート型であるが、圧縮機、凝縮機及び蒸発機等が一体となった一体型空気調和機に対しても適用可能な構成である。さらに、本発明においては、室内機として壁掛け式に特定されるものではなく、床置き式等においても、空気の吹出口における上下風向変更羽根を同様の技術的思想により変形して対応することが可能である。
【産業上の利用可能性】
【００５８】
本発明は、冷房運転時の結露を防止して、吹出口からの空気を所望の領域に到達するように吹き出すことが可能な信頼性の高い空気調和機を提供することができ、業務用及び一般家庭等で使用される空気調和機として有用である。
【符号の説明】
【００５９】
１  室内機
２  本体
２ａ  前面開口部
２ｂ  上面開口部
２ｃ  吹出口
３  前面パネル
４  フィルタ
５  熱交換器
６  ファン
７  リアガイダ
８  上下風向変更羽根
８ａ  下羽根（第１の羽根）
８ｂ  上羽根（第２の羽根）
８ｃ  ガイドミニ羽根（第３の羽根）
９  左右風向変更羽根
１０  通風路
１１  スタビライザ
１２  隙間
１３  軸受部材
１３ａ  軸受面部
１３ｂ、１３ｃ  突出部分
１４ａ、１４ｂ  リブ
【図１】
2015010732.tif 000003
【図２】
2015010732.tif 000004
【図３】
2015010732.tif 000005
【図４】
2015010732.tif 000006
【図５】
2015010732.tif 000007
【図６】
2015010732.tif 000008
【図７】
2015010732.tif 000009
【図８】
2015010732.tif 000010
【図９】
2015010732.tif 000011